(57)【要約】【課題】火災警報器が出力する警報メッセージから火災状況を判断できるようにする。【解決手段】火災要因を監視して検出信号を出力するセンサ部１２ａ、１２ｂと、緊急性に応じて区分された複数の警報メッセージを予め登録した警報メッセージ格納部１３と、検出信号を、第１の閾値と、前記第１の閾値よりも高い第２の閾値と比較する比較判別部１２と、検出信号が第１の閾値を超えた後、更に第２の閾値を超えるまでの時間に基づいて、警報メッセージ格納部１３に登録された警報メッセージを選択して出力させる制御部１４とを備える。【選択図】図１
2010079557.tif 000002
【特許請求の範囲】
【請求項１】
火災要因を監視して検出信号を出力するセンサ部と、
緊急性に応じて区分された複数の警報メッセージを予め登録した警報メッセージ格納部と、
前記検出信号を、第１の閾値と、前記第１の閾値よりも高い第２の閾値と比較する比較判別部と、
前記検出信号が前記第１の閾値を超えた後、更に第２の閾値を超えるまでの時間に基づいて、前記警報メッセージ格納部に登録された警報メッセージを選択して出力させる制御部とを備えた住宅用火災警報器。
【請求項２】
請求項１において、
前記制御部は、前記検出信号が前記第１の閾値を越えたあと、予め設定した基準時間が経過するまでに、第２の閾値を越えたときには、緊急性の高い警報メッセージを出力させる一方、前記検出信号が前記第１の閾値を越えた後、前記基準時間が経過してから、第２の閾値を越えたときには、緊急性の低い警報メッセージを出力させる警報監視モードを開始し、かつ該警報監視モードの実行中に、前記検出信号が、第２の閾値を越えずに、第１の閾値よりも低下したときには、前記警報監視モードを解除する構成にしている住宅用火災警報器。
【請求項３】
請求項１または2に記載の住宅用火災警報器を複数台備え、これらの警報器は、無線、あるいは有線で相互に接続され、連動して警報メッセージを出力する火災警報システム。
【発明の詳細な説明】
【技術分野】
【０００１】
本発明は、煙センサあるいは温度センサを有し、火災要因として、煙、あるいは熱を検出して警報を出力する住宅用火災警報器、および火災警報システムに関する。
【背景技術】
【０００２】
従来、住宅用火災警報器は、火災の煙や熱を検知して、例えば、「ピーピー、火事です。火事です」というような警報メッセージを出力するものであった。このような警報器の例として、次の特許文献には、煙検知部で測定された煙濃度信号に基づいて、警報を出力する構成の火災警報器が記載されている。
【特許文献１】特開2004-227452号公報
【発明の開示】
【発明が解決しようとする課題】
【０００３】
しかしながら、従来の警報器は、火災時には常に同一の警報メッセージを出力するため、居住者は、その警報メッセージから火災状況を判断できず、迅速かつ適切な対処をするのは困難であった。そこで、本発明は、警報メッセージから火災状況を判断できるようにすることを課題とする。
【課題を解決するための手段】
【０００４】
本発明による住宅用火災警報器は、火災要因を監視して検出信号を出力するセンサ部と、緊急性に応じて区分された複数の警報メッセージを予め登録した警報メッセージ格納部と、
前記検出信号を、第１の閾値と、前記第１の閾値よりも高い第２の閾値と比較する比較判別部と、前記検出信号が前記第１の閾値を超えた後、更に第２の閾値を超えるまでの時間に基づいて、前記警報メッセージ格納部に登録された警報メッセージを選択して出力させる制御部とを備える。
【０００５】
より具体的な構成では、前記制御部は、前記検出信号が前記第１の閾値を越えたあと、予め設定した基準時間が経過するまでに、第２の閾値を越えたときには、緊急性の高い警報メッセージを出力させる一方、前記検出信号が前記第１の閾値を越えた後、前記基準時間が経過してから、第２の閾値を越えたときには、緊急性の低い警報メッセージを出力させる警報監視モードを開始し、かつ該警報監視モードの実行中に、前記検出信号が、第２の閾値を越えずに、第１の閾値よりも低下したときには、前記警報監視モードを解除する構成としてもよい。
【０００６】
また、本発明による火災警報システムは、前記警報器を複数台備え、これらの警報器は、無線、あるいは有線で相互に接続され、連動して警報メッセージを出力する。
【発明の効果】
【０００７】
本発明による住宅用火災警報器では、火災要因の検出信号が第１の閾値を超えてから、更に第２の閾値を超えるまでの時間に基づいて、警報メッセージのいずれかを選択して出力するので、火災の緊急性に応じて複数種類の警報メッセージを予め用意しておけば、  居住者は、出力された警報メッセージから緊急性を直ちに判断して、初期消火をする、あるいは避難する等の適切な対処ができる。
【０００８】
また、本発明による火災警報システムは、発報した警報器と同様に、他の警報器も火災の緊急性に応じた警報メッセージを出力することになるので、離れた部屋いる居住者も、火災の緊急性を直ちに判断できる。
【発明を実施するための最良の形態】
【０００９】
本発明は、煙センサあるいは温度センサを有し、火災要因として、煙、あるいは熱を検出して警報を出力する住宅用火災警報器に適用できる。また、そのような複数台の警報器が無線、あるいは有線で相互に接続され、連動して警報を出力する火災警報システムにも適用できる。以下、火災要因として煙を検出する警報器を実施例として、本発明を説明する。
【００１０】
図１は、実施例の回路的な構成を示した機能ブロック図、図２（ａ）〜図２（ｃ）は、それぞれ実施例を正面、側面、裏面側から見た外観図である。
【００１１】
警報器１は、天井面あるいは壁面に固定されるベース部１ａと、このベース部１ａに着脱自在に装着される本体部１ｂとで構成されている。そして、電気的な構成要素として、電源電池１１と、発光部１２ａおよび受光部１２ｂからなる煙センサと、煙センサが出力した検出信号、つまり煙の濃度信号を、第１の閾値と、前記第１の閾値よりも高い第２の閾値と比較する比較判別部１２と、制御プログラム等を格納したメモリ１３と、制御プログラムに従って各部を制御するマイクロコントローラからなる制御部１４と、複数種類の警報メッセージが予め登録された警報メッセージ格納部１５と、発光ダイオード等からなる表示部１６と、スピーカＳＰを駆動して警報メッセージを出力する音声出力部１７と、警報停止操作を受け付ける操作部１８と、無線あるいは有線によって他の警報器１と制御信号を送受信する通信部１９を備えている。
【００１２】
ベース部１ａの樹脂パネルには、固定用のネジ孔２０が形成され、本体部１ｂは皿状の樹脂パネルの中央に、発光部１２ａと受光部１２ｂとを内蔵した検知ヘッド２１が設けられており、検知ヘッド２１の周囲には、操作部１８を構成する押釦１８ａが露出し、スピーカＳＰのための通音孔２２が形成されている。なお、押釦１８ａと引紐２３は連動するようになっている。また、押釦１８ａは透光性の樹脂からなり、表示部１６の発光ダイオードが組み込まれている。
【００１３】
検知ヘッド２１は、光を遮断ししつつ空気の通過を許容するラビリンス壁に囲まれた検知室内部に煙センサを収容した構成である。煙センサは、例えば、発光ダイオードによる発光部１２ａと、ホトダイオードによる受光部１２ｂとからなり、発光部１２ａから照射された光は、検知室内に侵入した煙粒子によって反射され、その反射光が受光部１２ｂで光電変換される動作原理になっている。なお、ラビリンス壁は、防虫、保護カバーによって覆われている。比較判別部１２は、受光部１２ｂが出力した濃度信号を第１の閾値、および第１の閾値よりも高い第２の閾値と比較して、濃度信号が、第１の閾値を超えた時点、および第２の閾値を超えた時点で制御部１４に通知する。
【００１４】
警報メッセージ格納部１５は、不揮発性のメモリ等で構成され、例えば、「ピーピー、感知器が作動しました。火元を確認して下さい」という緊急性の低い警報メッセージと、「ピーピー、感知器が作動しました。大至急避難してください」という緊急性の高い警報メッセージというように、複数の警報メッセージが予め登録されている。
【００１５】
制御部１４は、メモリ１３に格納されている制御プログラムに従って各部を制御するが、特に本発明によれば、比較判別部１２からの通知によって、タイマを作動させることで、濃度信号が第１の閾値を超えてから、更に第２の閾値を超えるまでの時間を計測し、計測した時間に基づいて、警報メッセージ格納部１５に登録された警報メッセージのいずれかを選択して音声出力部１７から出力開始させ、それと同時に、表示部１６を点灯、あるいは点滅させる。なお、警報メッセージは、緊急性に応じて、いくつ用意しておいてもよい。
【００１６】
より簡単な具体例では、制御部１４は、濃度信号が第１の閾値を越えたあと、予め設定した基準時間が経過するまでに、第２の閾値を越えたときには、緊急性の高い警報メッセージを出力させる一方、濃度信号が第１の閾値を越えた後、同基準時間が経過してから、第２の閾値を越えたときには、緊急性の低い警報メッセージを出力させる警報監視モードを開始し、この警報監視モードの実行中に、濃度信号が、第２の閾値を越えずに、第１の閾値よりも低下したときには、警報監視モードを解除する構成としてもよい。なお、例えば、基準時間は１分、第１の閾値は５％／ｍ、第２の閾値は１０％／ｍとしてもよい。また、緊急性の低い警報メッセージを選択した場合には、表示部１６を遅い周期で点滅させ、緊急性の高い警報メッセージを選択した場合には、表示部１６を早い周期で点滅させてもよい。また、煙濃度が第１の閾値を超えた時点で、予備的な警報メッセージ（火災警報）をいったん出力すると共に、上記の警報監視モードを開始するようにしてもよい。
【００１７】
このようにすれば、居住者は、警報メッセージから火災の緊急性を直ちに判断して、初期消火する、あるいは避難する等の適切な対処が可能になる。また、このような警報器１の複数台からなる火災警報システムを構成したときには、発報した警報器１と同様に、他の警報器１も、火災の緊急性に応じた警報メッセージを出力することになるので、離れた部屋いる居住者も、火災の緊急性を直ちに判断できる。
【００１８】
図３は、実施例の動作を示した濃度信号の波形図で、この例では火災の進行が遅いので、濃度信号は緩慢に上昇している。図中、時刻Ｔ１で、比較判別部１２は、濃度信号が第１の閾値を超えたことを制御部１４に通知する。これを受けて、制御部１４は時間の計測を開始する。その後、時刻Ｔ２で、比較判別部１２は、濃度信号が第２の閾値を超えたことを制御部１４に通知する。この通知により、制御部１４は時間計測を終了する。そして、計測した時間に基づいて、警報メッセージ格納部１５に登録された警報メッセージのいずれかを選択して出力させる。ここでは、時刻Ｔ１から時刻Ｔ２までの時間が基準時間よりも長いことを想定しており、そのため、緊急性の低い警報メッセージが出力される。
【００１９】
図４は、上記と同様の濃度信号の波形図であるが、この例では、火災の進行が早いので、濃度信号は急激に上昇している。ここでは、時刻Ｔ１から時刻Ｔ２までの時間が基準時間よりも短いことを想定しており、そのため、緊急性の低い警報メッセージが出力される。
【００２０】
なお、上記の構成では、制御部１４は、濃度信号が第１の閾値を超えてから、更に第２の閾値を超えるまでの時間を計測していたが、変形例として、濃度信号が第１の閾値を超えてから、更に第２の閾値を超えるまでの濃度信号の積分量に基づいて、警報メッセージを選択する構成としてもよい。
【００２１】
図５は、この変形例の動作を示した濃度信号の波形図で、図中の斜線部分の面積が、その積分量に相当している。制御部１４は、濃度信号が第２の閾値を超えた時点で、積分量を所定値と比較して、所定以上であれば、緊急性の低い警報メッセージを選択して出力させるが、所定値未満では、緊急性の高い警報メッセージを選択して出力させる。
【図面の簡単な説明】
【００２２】
【図１】実施例の回路的な構成を示した機能ブロック図である。
【図２】（ａ）〜（ｃ）は、それぞれ実施例を正面、側面、裏面側から見た外観図である。
【図３】実施例の動作を示した濃度信号の波形図である。
【図４】実施例の動作を示した濃度信号の他の波形図である。
【図５】変形例の動作を示した濃度信号の波形図である。
【符号の説明】
【００２３】
１              警報器
１２            比較判別部
１２ａ、１２ｂ  センサ部
１３            警報メッセージ格納部
１４            制御部
１７            音声出力部
【図１】
2010079557.tif 000003
【図２】
2010079557.tif 000004
【図３】
2010079557.tif 000005
【図４】
2010079557.tif 000006
【図５】
2010079557.tif 000007